(57)【要約】【課題】出射ビームが広範囲の電流値にわたり安定で高速・高精度に制御可能なシンクロトロンおよびそれを用いた粒子線治療システムを提供する。【解決手段】粒子線治療システム１００は、シンクロトロン２００と、ビーム輸送系３００と、照射装置５００から構成される。制御装置６００の出射制御装置６００Ａ，６００Ｂは、ビーム輸送系３００や治療室４００内のビームモニタ３３、５２で荷電粒子ビームの電流値を検出して、この電流値が目標値に一致するように出射装置２６の高周波電圧の振幅や加速空胴２５の高周波電圧の周波数をフィードバック制御し、高周波電圧の振幅や周波数の変化に対するシンクロトロン２００の出射ビーム電流値の応答の非線形性を打ち消す特性の処理を行う線形化演算器６８（信号伝達手段）を設ける。【選択図】  図４
2014170714.tif 000002
【特許請求の範囲】
【請求項１】
前段加速器から入射された荷電粒子ビームを所定のエネルギーまで加速したのち、高周波電圧で安定限界を超えさせて荷電粒子ビームを出射するシンクロトロンであって、
前記荷電粒子ビームの出射電流値が所望の値に一致するようにフィードバック制御する出射制御装置と、
この出射制御装置に設けられ、前記高周波電圧の変化に対する前記荷電粒子ビームの出射電流値の応答の非線形性を打ち消す特性の処理を行う信号伝達手と段を備えた
ことを特徴とするシンクロトロン。
【請求項２】
請求項１に記載のシンクロトロンにおいて、
所定のエネルギーまで加速された荷電粒子ビームを出射するための出射装置と、
この出射装置に印加して荷電粒子ビームに擾乱を与えて出射するための高周波電圧の振幅値をＸ、この振幅値Ｘに対する荷電粒子ビームの出射電流値をＹ、前記振幅値Ｘに対する前記出射電流値Ｙの非線形応答をＫ、ｎを定数として、Ｙ＝Ｋ・Ｘｎと表せる場合に、入力信号をｘ、この入力信号ｘに対する出力信号をｙ、ｋを定数としたときに、ｙ＝ｋ・ｘ１／ｎと表せる出力信号ｙを出力する前記信号伝達手段を有する前記出射制御装置とを更に備えた
ことを特徴とするシンクロトロン。
【請求項３】
請求項２に記載のシンクロトロンにおいて、
前記定数ｎが２であることを特徴とするシンクロトロン。
【請求項４】
請求項１に記載のシンクロトロンにおいて、
印加される前記高周波電圧の周波数変化を用いて荷電粒子ビームを出射させる加速空胴と、
この加速空胴に前記高周波電圧を印加する前記出射制御装置であって、前記高周波電圧の周波数変化をＸ，この周波数変化率Ｘに対する荷電粒子ビームの出射電流値をＹ、前記振幅値Ｘに対する前記出射電流値Ｙの非線形応答をＫ、ｎを定数として、Ｙ＝Ｋ・Ｘｎと表せる場合に、入力信号をｘ、この入力信号ｘに対する出力信号をｙ、ｋを定数としたときに、ｙ＝ｋ・ｘ１／ｎと表せる出力信号ｙを出力する前記信号伝達手段を有する前記出射制御装置とを更に備えた
ことを特徴とするシンクロトロン。
【請求項５】
粒子線治療システムであって、
治療室と、
請求項１〜４のいずれか１項に記載のシンクロトロンと、
このシンクロトロンから出射された荷電粒子ビームを前記治療室まで導くビーム輸送系と、
前記治療室内の患者の患部形状に合わせて荷電粒子ビームを照射する照射装置とを備えた
ことを特徴とする粒子線治療システム。
【発明の詳細な説明】
【技術分野】
【０００１】
本発明は、高精度の治療照射が可能な粒子線治療システムの加速器ビーム制御技術に関する。特に、複雑な患部形状に一致した高精細な治療照射が可能なビーム走査法などの先端照射技術を用いた粒子線治療システムに必要な、シンクロトロンの出射ビーム電流値のフィードバック制御技術に係わる。
【背景技術】
【０００２】
近年の高齢化社会を反映し、がん治療法の一つとして、低侵襲で体に負担が少なく、治療後の生活の質が高く維持できる放射線治療が注目されている。その中でも、加速器で加速した陽子や炭素などの荷電粒子ビームを用いた粒子線治療システムが、患部への優れた線量集中性のため特に有望視されている。粒子線治療システムは、イオン源で発生したビームを光速近くまで加速するシンクロトロンなどの加速器と、加速器の出射ビームを輸送するビーム輸送系と、患部の位置や形状に合わせてビームを患者に照射する照射装置から構成される。
【０００３】
粒子線治療システムの照射装置で患部の形状に合わせてビームを照射する際、散乱体でビーム径を拡大したのちコリメータで周辺部を削ってビームを整形する散乱体法や、加速器からの細径ビームを電磁石で偏向し患部形状に合わせて走査するビーム走査法、或いはその組み合わせの照射方法が用いられる。何れの場合にも、患部の位置や形状に合わせて照射ビームの電流値を高精度で制御する必要があるが、細径ビームを連続的に走査し続ける方式のビーム走査法（ラスター走査法）では、特にその要求精度が高い。
【０００４】
ところで、照射ビームの位置精度やエネルギー安定度の観点から、シンクロトロンのビーム出射法として、出射装置に印加する高周波電圧の擾乱で周回ビームのエミッタンス（粒子の振動振幅）を増大させて、安定限界を超えた振動振幅の大きい粒子から出射する技術が知られている。実際の粒子線治療システムの運転では、シンクロトロンの出射装置に印加する高周波電圧の振幅を、出射ビーム電流値が目標値に一致するように、治療室内での照射ビーム電流の実測値やビーム輸送系での輸送ビーム電流の測定値に基づきフィードバック制御している（例えば、特許文献１）。
【０００５】
また、シンクロトロンのビーム出射法として、加速空胴に印加する高周波電圧の周波数を変化させて安定限界を徐々に縮小し、安定限界を超えた振動振幅やエネルギー偏差の大きい粒子から出射する技術も開示されている（例えば、特許文献２）。
【先行技術文献】
【特許文献】
【０００６】
【特許文献１】特開２０１０−２５１１０６号公報
【特許文献２】特開２０１２−２３４６５３号公報
【発明の概要】
【発明が解決しようとする課題】
【０００７】
特許文献１に記載のビーム出射方法では、シンクロトロンの電磁石励磁量と加速周波数（加速空胴に印加する高周波電圧の周波数）を出射中に一定に設定できるため、安定領域や出射ブランチが不変で出射ビームの軌道安定度が高く、照射ビームの高い位置精度とエネルギー安定度を達成できる特長がある。
しかし、照射ビームの電流制御の応答性と精度向上の観点では、シンクロトロンの出射ビーム電流値のフィードバック制御技術に以下の課題があった。
【０００８】
従来のフィードバック制御技術において、フィードバック系は出射制御装置、高周波電力増幅器、出射装置、シンクロトロン、ビーム輸送系、出射ビームモニタのループで構成され、それぞれの構成要素を一巡した信号伝達特性の積がフィードバック系の性能を決定する。すなわち、ループを一巡したループ利得が低いと応答性が悪く制御精度も低下し、一方、高すぎるとフィードバック系の動作が不安定になるとの問題がある。
したがって、様々な運転条件に対してフィードバック系のループ利得を最適値に近く維持することが、照射ビームの電流制御の応答性と精度向上の観点で重要である。
【０００９】
また、特許文献２に記載のビーム出射方法では、シンクロトロンの加速空胴に印加する高周波電圧の周波数を出射中に変化させて安定限界を徐々に縮小し、安定限界を超えた振動振幅やエネルギー偏差の大きい粒子から出射する。この場合にも、ループを一巡したループ利得が低いと応答性が悪く制御精度も低下し、一方、高すぎるとフィードバック系の動作が不安定になるとの問題がある。このため、様々な運転条件に対してフィードバック系のループ利得を最適値に近く維持することが重要である。
【００１０】
そこで、本発明の目的は、出射ビーム電流値のフィードバック系に関して、広範囲の出射ビーム電流値に対して安定で且つ高速・高精度な制御が可能なシンクロトロンおよびそれを用いた粒子線治療システムを提供することである。
【課題を解決するための手段】
【００１１】
上記課題を解決するために、例えば特許請求の範囲に記載の構成を採用する。
本発明は、上記課題を解決する手段を複数含んでいるが、その一例を挙げるならば、前段加速器から入射された荷電粒子ビームを所定のエネルギーまで加速したのち、高周波電圧で安定限界を超えさせて荷電粒子ビームを出射するシンクロトロンであって、前記荷電粒子ビームの出射電流値が所望の値に一致するようにフィードバック制御する出射制御装置と、この出射制御装置に設けられ、前記高周波電圧の変化に対する前記荷電粒子ビームの出射電流値の応答の非線形性を打ち消す特性の処理を行う信号伝達手と段を備えたことを特徴とする。
【発明の効果】
【００１２】
本発明によれば、荷電粒子ビームに印加する高周波電圧の変化に対する出射ビーム電流値の非線形の応答性が考慮され、よって、出射ビーム電流値のフィードバック系の信号伝達特性がループ全体として線形化されるので、出射ビーム電流値の運転条件に依存したループ利得の変化を抑制することができる。
その結果、シンクロトロンの出射ビーム電流値を広範囲にわたり安定に且つ高速・高精度で制御することができ、複雑な患部形状に一致した高精細な治療照射が可能なビーム走査法などの先端照射技術に対応した粒子線治療システムを容易に実現することができる。
【図面の簡単な説明】
【００１３】
【図１】本発明技術の第１の実施形態によるシンクロトロンおよび粒子線治療システムの構成を示すシステム構成図である。
【図２】本発明技術の第１の実施形態による粒子線治療システムに用いる照射装置（ラスター走査法）の構成および動作原理を示す図であり、（Ａ）は正面図であり、（Ｂ）は患部に照射される荷電粒子ビームをその上流側から見た平面図である。
【図３】本発明技術の第１の実施形態によるシンクロトロンのビーム出射法の説明図であり、シンクロトロンを周回する荷電粒子ビームの状態を出射に関係する水平方向の位相空間内に示したものである。（Ａ）は出射開始前の位相空間を示し、（Ｂ）は出射開始後の位相空間を示している。
【図４】本発明技術の第１の実施形態によるシンクロトロンに用いる出射制御装置の構成と出射ビーム電流値のフィードバック系の全体構成を示す説明図である。
【図５】シンクロトロンに用いる従来技術の出射制御装置の構成と出射ビーム電流値のフィードバック系の全体構成を示す説明図である。
【図６】本発明技術の第２の実施形態によるシンクロトロンおよび粒子線治療システムの構成を示すシステム構成図である。
【図７】本発明技術の第２の実施形態によるシンクロトロンのビーム出射法の説明図であり、シンクロトロンを周回する荷電粒子ビームの状態を出射に関係する水平方向の位相空間内に示したものである。（Ａ）は出射開始前の位相空間を示し、（Ｂ）は出射開始後の位相空間を示している。
【図８】本発明技術の第２の実施形態によるシンクロトロンに用いる出射制御装置の構成と出射ビーム電流値のフィードバック系の全体構成を示す説明図である。
【発明を実施するための形態】
【００１４】
以下に本発明のシンクロトロンおよび粒子線治療システムの実施形態を、図面を用いて説明する。
【００１５】
本発明は、シンクロトロンの出射過程でのビーム物理現象が、単純な線形現象ではなく、出射装置に印加する高周波電圧の振幅値の変化に対して出射ビームの電流値の変化は非線形関係にある、との新たな知見に基づいてなされたものである。
【００１６】
具体的には、従来のフィードバック系では出射装置に印加する高周波電圧の振幅値を直接制御するように出射制御装置が設計されていた。
しかし本発明者が鋭意検討した結果、フィードバック系のループ利得は出射ビーム電流値の運転条件に依存して変化することが明らかとなった。
【００１７】
より具体的には、高周波電圧の振幅値Ｘに対する出射ビーム電流値Ｙの非線形応答がＫ、ｎを定数としてＹ＝Ｋ・Ｘｎと表せる場合には、ループ利得はｄＹ／ｄＸ＝ｎＫ・Ｘｎ−１＝ｎＫ１／ｎ・Ｙ（ｎ−１）／ｎに比例し、高周波電圧の振幅値Ｘ、即ち出射ビーム電流値Ｙに依存して変化することが明らかとなった。
特に、ｎ＞＞１で非線形の度合いが大きい場合にはループ利得の変化が大きく、フィードバック系を広範囲の出射ビーム電流値に対して安定に且つ高速・高精度で動作させることが困難になる。
即ち、高い出射ビーム電流値でループ利得を最適化すると、低い出射ビーム電流値に対してループ利得が低下し、応答性の悪化と制御精度の劣化を招く。逆に、低い出射ビーム電流値でループ利得を最適化すると、高い出射ビーム電流値に対してループ利得が上昇し過ぎてフィードバック系が不安定になることが判った。
【００１８】
本発明は、上記の新たな知見に基づいてなされたものである。
【００１９】
＜第１の実施形態＞
以下、図１〜図４を用いて、本発明の第１の実施形態によるシンクロトロンおよび粒子線治療システムの構成とその動作について説明する。
【００２０】
最初に図１を用いて、本実施形態による粒子線治療システムの全体構成について説明する。
【００２１】
粒子線治療システム１００は、ライナックのような前段加速器１１で予備加速した荷電粒子ビームを所定のエネルギーまで加速したのち出射するシンクロトロン２００と、シンクロトロンから出射された荷電粒子ビームを治療室４００まで導くビーム輸送系３００と、治療室４００で患者４１の患部形状に合わせて荷電粒子ビームを照射する照射装置５００と、制御装置６００（出射制御装置６００Ａを含む）とから概略構成される。
【００２２】
シンクロトロン２００は、前段加速器１１で予備加速した荷電粒子ビームを入射する入射装置２４と、荷電粒子ビームを偏向し一定の軌道上を周回させる偏向電磁石２１と、荷電粒子ビームが広がらないように水平／垂直方向に収束力を与える収束／発散型の四極電磁石２２と、荷電粒子ビームを所定のエネルギーまで加速する加速空胴２５と、加速空胴２５に高周波電力を供給する高周波電力増幅器２５Ａと、周回する荷電粒子ビームの振動振幅に対して安定限界を形成する六極電磁石２３と、電極間に印加した高周波電圧で荷電粒子ビームの振動振幅を増大し安定限界を超えさせて外部に取り出す出射装置２６と、出射装置２６に高周波電力を供給する高周波電力増幅器２６Ａと、荷電粒子ビームを出射するために電場や磁場で大きく外側に偏向する出射偏向装置２７とから概略構成される。
【００２３】
ビーム輸送系３００は、シンクロトロン２００の出射ビームを磁場で偏向して所定の設計軌道に沿って治療室４００内の照射装置５００に導く偏向電磁石３１と、輸送中に荷電粒子ビームが広がらないように水平／垂直方向に収束力を与える収束／発散型の四極電磁石３２とから概略構成される。
【００２４】
次に、図２を用いて本実施形態による粒子線治療システムに用いる照射装置５００の構成と動作原理について説明する。（Ａ）は正面図であり、（Ｂ）は患部に照射される荷電粒子ビームをその上流側から見た平面図である。
照射装置５００はラスター走査法を用いており、ビーム輸送系３００で導かれた荷電粒子ビームを水平および垂直方向に偏向し患部４２の断面形状に合わせて２次元的に走査する走査電磁石５１と、荷電粒子ビームの位置、サイズ（形状）、線量を監視する各種ビームモニタ５２ａ，５２ｂとから概略構成される。
図２（Ａ）に示すように、患者４１の患部４２に対して、その３次元的な患部形状を深さ方向の複数の層に分割する。そして、シンクロトロンの出射ビームのエネルギー変更などで照射ビームのエネルギーを変更して各層を選択的に照射する。図２（Ｂ）に示すように、各層内では走査電磁石５１で細径の荷電粒子ビームを２次元的に連続走査して照射領域に所定の線量分布を与える。その際、荷電粒子ビームを一定の高速度で連続的に走査しながら照射領域に所定の線量分布を実現する必要があり、シンクロトロンの出射ビーム電流値のフィードバック系を用いて、照射ビーム電流を広い強度範囲にわたり高速・高精度で制御する。なお、照射領域に飛地がある場合には、その前後で照射ビームを高速にＯＮ／ＯＦＦする。
【００２５】
再び図１に戻り、制御装置６００について説明する。
制御装置６００は、前段加速器１１、シンクロトロン２００、ビーム輸送系３００、照射装置５００を構成する各機器およびその電源を制御し、シンクロトロンでのビーム入射・加速・出射、および照射装置でのビーム照射の各過程の制御と監視を司っている。なお、図１では、本実施形態に密接に関係する出射装置２６とこの装置に高周波電力を供給する高周波電力増幅器２６Ａおよび出射制御に必要な出射ビームモニタとしての輸送ビームモニタ３３、照射ビームモニタ５２との関係のみを明示している。
【００２６】
次に、図３を用いて本実施形態に係わるビーム出射方法について簡単に説明する。図３はシンクロトロン２００を周回する荷電粒子ビームの状態を、出射に関係する水平方向の位相空間内に示したものである。横軸は設計軌道からのずれ（位置）で、縦軸は設計軌道に対する傾き（角度）である。
シンクロトロン２００において、荷電粒子ビームを構成する各粒子は、設計軌道を中心にして水平／垂直方向に振動しながら周回する。シンクロトロン２００を１周する間の振動数をそれぞれ水平／垂直チューンと呼び、四極電磁石２２の励磁量で調整される。六極電磁石２３を励磁することで位相空間内に三角形状の安定領域が形成される。この安定領域内の粒子はシンクロトロン２００内を安定に周回し続けるが、安定領域の外に出た粒子は出射ブランチに沿って急激に振動振幅が増大し、最終的に出射偏向装置２７の開口部に飛び込んでシンクロトロン２００から取り出される。
ここで、安定領域の大きさは四極電磁石２２や六極電磁石２３の励磁量で決まる。図３（Ａ）は出射開始前の、図３（Ｂ）は出射開始後の位相空間を示す。安定領域の大きさを出射開始前の荷電粒子ビームのエミッタンス（位相空間で占める面積）より若干大きめに設定する。出射開始とともに水平チューンと共鳴する周波数の高周波電圧を出射装置２６に印加して荷電粒子ビームのエミッタンスを大きくし（粒子の振動振幅を増大させ）、安定限界を超えた粒子から出射する。
この状態で出射装置２６の高周波電圧の振幅を調整して出射ビーム電流（照射ビーム電流）を制御でき、出射装置２６の高周波電圧をＯＮ／ＯＦＦすることで出射ビーム（照射ビーム）のＯＮ／ＯＦＦが制御できる。即ち、高周波電圧の振幅値を大きくすれば出射ビーム電流値が増加し、高周波電圧の振幅値を小さくすれば出射ビーム電流値が減少する。
出射ビーム電流値のフィードバック系は、シンクロトロンの出射過程での上記ビーム物理現象を利用している。ただし、高周波電圧の振幅値の変化に対する出射ビーム電流値の変化は線形関係ではなく、非線形関係である。
そこで、以下に記載の如く、本実施形態ではその非線形性を補償する出射制御装置を構成し、フィードバック系が安定で高速・高精度に動作可能な範囲を拡大した。
【００２７】
図４に本実施形態によるシンクロトロンに用いる出射制御装置６００Ａの構成と出射ビーム電流値のフィードバック系の全体構成を示す。
出射制御装置６００Ａは図１に示した制御装置６００に設けられており、シンクロトロン２００の出射制御に関連する部分である。
出射制御装置６００Ａは、図４に示すように、出射装置２６の電極間に印加する高周波電圧の中心周波数、周波数帯域幅、振幅を制御する。すなわち、所望の中心周波数に一致した周波数の高周波信号を生成する高周波発振器６１、所望の周波数帯域幅に一致した帯域幅（直流〜上限周波数）を有する低周波帯域信号を生成する帯域信号生成器６２、高周波発振器６１と帯域信号発生器６２の出力信号をミキシングして所望の高周波帯域信号を生成する乗算器６３、乗算器６３の出力信号を振幅変調して所望の振幅値に一致するように調整する振幅変調器６４を具備する。
また、図４に示すように、出射制御装置６００Ａは、シンクロトロン２００の出射ビーム電流の測定値を設定値と比較して誤差信号を出力する電流比較器６５、誤差信号に対して適切な利得で比例・積分・微分演算を実施して振幅補正値を出力する振幅制御器６６、予め定めた振幅設定値に振幅補正値を加算し出力する振幅加算器６７、振幅加算器６７の出力信号に対してフィードバック系のループ利得の非線形性を打ち消す補償演算を実施し、その演算結果を振幅変調器６４に出力する線形化演算器６８を具備する。
出射制御装置６００Ａにおいては、線形化演算器６８の出力信号に基づき、振幅変調器６４では乗算器６３の出力高周波帯域信号を振幅変調する。振幅変調器６４の出力信号は高周波電力増幅器２６Ａで増幅されて出射装置２６に供給される。
これらの機器に入力される周波数設定値，出射電流設定値，振幅設定値は、治療計画を作成する治療計画装置（図示せず）から入力される。
【００２８】
引き続き図４を用いて、出射ビーム電流値のフィードバック系の構成について説明する。
フィードバック系は出射ビーム電流値の検出モニタとして、照射装置５００で照射ビーム電流を実測する照射ビームモニタ５２、或いはビーム輸送系３００で輸送ビーム電流を測定する輸送ビームモニタ３３などを用い、このビームモニタの出力信号を出射制御装置６００Ａに入力する。出射制御装置６００Ａでは既述の如く、出射ビーム電流の設定値に対する測定値の誤差信号に基づき、シンクロトロン２００の出射装置２６の電極間に印加する高周波電圧の振幅値を自動調整し、出射ビーム電流の測定値が設定値に一致するように制御する。
フィードバック系は出射制御装置６００Ａ、高周波電力増幅器２６Ａ、出射装置２６、シンクロトロン２００、ビーム輸送系３００、出射ビームモニタ（３３，５２）のループで構成され、それぞれの構成要素を一巡した信号伝達特性の積であるループ利得がフィードバック系の性能を決定する。シンクロトロン２００では、出射装置２６に印加した高周波電圧の振幅値の変化に対して出射ビーム電流値の変化が非線形の関係にある。本実施形態では、その非線形性を補償する為の線形化演算器６８（信号伝達手段）を出射制御装置６００Ａに設けた。
【００２９】
比較のため、図５にシンクロトロンに用いる従来技術の出射制御装置の構成と出射ビーム電流値のフィードバック系の全体構成を示す。
従来技術の出射制御装置６００Ｃでは、振幅加算器６７の出力信号で直接的に振幅変調器６４を駆動している。したがって、従来のフィードバック系では、ループ利得が出射ビーム電流値の運転条件に依存して変化するとの問題があった。即ち、高い出射ビーム電流値でループ利得を最適化すると、低い出射ビーム電流値に対してループ利得が低下し、応答性の悪化と制御精度の劣化を招く。逆に、低い出射ビーム電流値でループ利得を最適化すると、高い出射ビーム電流値に対してループ利得が上昇し過ぎてフィードバック系が不安定になる。
これに対し、本実施形態では、フィードバック系のループ利得の非線形性を補償する為の線形化演算器６８によってループ利得の出射ビーム電流値に対する依存性を排除し、フィードバック系が安定で高速・高精度に動作可能な出射ビーム電流値の運転範囲を拡大した。以下、詳細に説明する。
【００３０】
例えば、出射装置２６に印加する高周波電圧の振幅値Ｘに対するシンクロトロン２００の出射ビーム電流値Ｙの非線形応答をＫ、ｎを定数としてＹ＝Ｋ・Ｘｎと表せる場合には、ループ利得はｄＹ／ｄＸ＝ｎＫ・Ｘｎ−１＝ｎＫ１／ｎ・Ｙ（ｎ−１）／ｎに比例し、高周波電圧の振幅値Ｘ、即ち出射ビーム電流値Ｙに依存して変化する。
特に、ｎ＞＞１で非線形の度合いが大きい場合にはループ利得の変化が大きく、フィードバック系を広範囲の出射ビーム電流値に対して安定に且つ高速・高精度で動作させることが困難になる。
そこで、ループ利得の非線形性を補償するため、本実施形態では入力信号ｘに対する出力信号ｙの応答がｋを定数としてｙ＝ｋ・ｘ１／ｎと表せる出力信号ｙを出力する線形化演算器６８（信号伝達手段）を出射制御装置６００Ａに設ける。これにより、２つの非線形応答が等価的に入力信号ｘに対する出力信号Ｙの線形応答Ｙ＝Ｋｋｎ・ｘで表されるので、ループ利得はｄＹ／ｄｘ＝Ｋｋｎに比例して、出射ビーム電流値の運転条件に依存しない一定値に維持することができる。
【００３１】
上述した本発明のシンクロトロンおよび粒子線治療システムの第１の実施形態によれば、出射ビーム電流値のフィードバック系の信号伝達特性がループ全体として線形化されるので、出射ビーム電流値の運転条件に依存したループ利得の変化を抑制できる。即ち、様々な運転条件に対してフィードバック系のループ利得を最適値に近く維持可能である。その結果、シンクロトロンの出射ビーム電流値を広範囲にわたり安定に且つ高速・高精度で制御でき、複雑な患部形状に一致した高精細な治療照射が可能なラスター走査法などの先端照射技術に対応した粒子線治療システムを容易に実現することができる。
【００３２】
なお、本実施形態のシンクロトロンの出射制御装置６００Ａに関して、その内部で実施する各種の信号処理はデジタル信号処理でもアナログ信号処理でも、どちらの手法で演算しても良い。シンクロトロンのビーム出射に関する発明者の知見では、典型的な運転条件で定数ｎは概略２であり、その場合には線形化演算器６８は入力信号に対して平方根を演算して出力する。平方根演算は比較的簡単なアナログ回路でも実現できる。
【００３３】
また、本実施形態では線形化演算器６８を出射制御装置６００Ａ内に設けたが、フィードバック系のループ内にあれば良い。例えば、高周波電力増幅器２６Ａの内部に設けても良い。
【００３４】
＜第２の実施形態＞
以下、図６〜図８を用いて、本発明の第２の実施形態によるシンクロトロンおよび粒子線治療システムの構成とその動作について説明する。
最初に図６を用いて、本実施形態による粒子線治療システムの全体構成について説明する。
【００３５】
図６において、粒子線治療システム１００は、第１の実施形態と同様に、ライナックのような前段加速器１１で予備加速した荷電粒子ビームを所定のエネルギーまで加速したのち出射するシンクロトロン２００と、シンクロトロンから出射された荷電粒子ビームを治療室４００まで導くビーム輸送系３００と、治療室４００で患者４１の患部形状に合わせて荷電粒子ビームを照射する照射装置５００と、制御装置６００（出射制御装置６００Ｂを含む）とから概略構成される。
【００３６】
シンクロトロン２００は、前段加速器１１で予備加速した荷電粒子ビームを入射する入射装置２４と、荷電粒子ビームを偏向し一定の軌道上を周回させる偏向電磁石２１と、荷電粒子ビームが広がらないように水平／垂直方向に収束力を与える収束／発散型の四極電磁石２２と、荷電粒子ビームを所定のエネルギーまで加速する加速空胴２５と、加速空胴２５に高周波電力を供給する高周波電力増幅器２５Ａと、周回する荷電粒子ビームの振動振幅に対して安定限界を形成する六極電磁石２３と、荷電粒子ビームを出射するために電場や磁場で大きく外側に偏向する出射偏向装置２７とから概略構成される。
本実施形態では、加速空胴２５に印加する高周波電圧の周波数を出射中に変化させて安定限界を徐々に縮小し、安定限界を超えた振動振幅やエネルギー偏差の大きい粒子から出射する。そのため、第１の実施形態の場合と異なり、出射専用の電極を設けた出射装置２６と、出射装置２６に高周波電力を供給する高周波電力増幅器２６Ａが省略することができる。
【００３７】
ビーム輸送系３００、治療室４００、照射装置５００の構成と動作は第１の実施形態と同様であり説明は省略する。制御装置６００も第１の実施形態と同様に、前段加速器１１、シンクロトロン２００、ビーム輸送系３００、照射装置５００を構成する各機器およびその電源を制御し、シンクロトロンでのビーム入射・加速・出射、および照射装置でのビーム照射の各過程の制御と監視を司っている。なお、図６では本実施形態に密接に関係する加速空胴２５と加速空胴に高周波電力を供給する高周波電力増幅器２５Ａ、および出射制御に必要な出射ビームモニタとして、輸送ビームモニタ３３、照射ビームモニタ５２との関係のみを明示している。
【００３８】
ここで、図７を用いて本実施形態に係わるビーム出射方法について簡単に説明する。図７はシンクロトロン２００を周回する荷電粒子ビームの状態を、出射に関係する水平方向の位相空間内に示したものである。横軸は設計軌道からのずれ（位置）で、縦軸は設計軌道に対する傾き（角度）である。
シンクロトロン２００において、荷電粒子ビームを構成する各粒子は、設計軌道を中心にして水平／垂直方向に振動しながら周回する。六極電磁石２３を励磁することで位相空間内に三角形状の安定領域が形成される。安定領域内の粒子はシンクロトロン２００内を安定に周回し続けるが、安定領域の外に出た粒子は出射ブランチに沿って急激に振動振幅が増大し、最終的に出射偏向装置２７の開口部に飛び込んでシンクロトロン２００から取り出される。
本実施形態においては、安定領域の大きさは四極電磁石２２と六極電磁石２３の励磁量だけでなく、加速空胴２５に印加する高周波電圧の周波数（加速周波数）変化に依存して決まる。図７（Ａ）は出射開始前の、図７（Ｂ）は出射開始後の位相空間を示す。安定領域の大きさを出射開始前の荷電粒子ビームのエミッタンス（位相空間で占める面積）より若干大きめに設定する。本実施形態では、出射開始とともに加速周波数を徐々に上げて周回ビームのエネルギーを増加する。その結果、周回軌道が外側にずれるとともに安定領域が次第に縮小し、安定限界を超えた振動振幅やエネルギー偏差の大きい粒子から出射される。
この状態で加速周波数の時間変化率を調整して出射ビーム電流（照射ビーム電流）を制御でき、加速周波数の変化をＯＮ／ＯＦＦすることで出射ビーム（照射ビーム）のＯＮ／ＯＦＦが制御できる。即ち、加速周波数の時間変化率を大きくすれば出射ビーム電流値が増加し、加速周波数の時間変化率を小さくすれば出射ビーム電流値が減少する。
出射ビーム電流値のフィードバック系は、シンクロトロンの出射過程での上記ビーム物理現象を利用している。この場合にも、加速周波数の時間変化に対する出射ビーム電流値の応答は非線形関係にあり、従来の制御ではフィードバック系のループ利得が出射ビーム電流値の運転条件に依存して変化する、との同様な課題があった。
そこで、以下に記載の如く、本実施形態でもその非線形性を補償する出射制御装置を構成し、フィードバック系が安定で高速・高精度に動作可能な範囲を拡大した。
【００３９】
図８に本実施形態によるシンクロトロンに用いる出射制御装置６００Ｂの構成と出射ビーム電流値のフィードバック系の全体構成を示す。
出射制御装置６００Ｂは図６に示した制御装置６００に設けられており、シンクロトロン２００の出射制御に関連する部分である。
出射制御装置６００Ｂは、図８に示すように、加速空胴２５に印加する高周波電圧の周波数（加速周波数）と振幅を制御する。すなわち、所望の周波数に一致した高周波信号を生成する高周波発振器６１、高周波発振器６１の出力信号を振幅変調して所望の振幅値に一致するように調整する振幅変調器６４を具備している。振幅変調器６４の出力信号は高周波電力増幅器２５Ａで増幅されて加速空胴２５に供給される。
また、出射制御装置６００Ｂは、図８に示すように、シンクロトロン２００の出射ビーム電流の測定値を設定値と比較して誤差信号を出力する電流比較器６５、誤差信号に対して適切な利得で比例・積分・微分演算を実施して周波数変化率の補正値を出力する周波数変化率制御器６９、予め定めた周波数変化率の設定値に補正値を加算する周波数変化率加算器７０、周波数変化率加算器７０の出力信号に対してフィードバック系のループ利得の非線形性を打ち消す補償演算を実施する線形化演算器６８、周波数設定信号と線形化演算器６８の出力信号に基づき高周波発振器６１の周波数を決定する周波数設定部７１を具備する。
これらの機器に入力される周波数設定値，出射電流設定値，振幅設定値，周波数変化率設定値は、治療計画を作成する治療計画装置（図示せず）から入力される。
【００４０】
引き続き図８を用いて、出射ビーム電流値のフィードバック系の構成について説明する。
第１の実施形態と同様に、フィードバック系は出射ビーム電流値の検出モニタとして、照射装置５００で照射ビーム電流を実測する照射ビームモニタ５２、或いはビーム輸送系３００で輸送ビーム電流を測定する輸送ビームモニタ３３などを用い、このビームモニタの出力信号を出射制御装置６００Ｂに入力する。出射制御装置６００Ｂでは既述の如く、出射ビーム電流の設定値に対する測定値の誤差信号に基づき、シンクロトロン２００の加速空胴２５に印加する高周波電圧の周波数変化を自動調整し、出射ビーム電流の測定値が設定値に一致するように制御する。
フィードバック系は出射制御装置６００Ｂ、高周波電力増幅器２５Ａ、加速空胴２５、シンクロトロン２００、ビーム輸送系３００、出射ビームモニタ（３３，５２）のループで構成され、それぞれの構成要素を一巡した信号伝達特性の積であるループ利得がフィードバック系の性能を決定する。シンクロトロン２００では、加速空胴２５に印加した高周波電圧の周波数変化に対して出射ビーム電流値の変化が非線形の関係にあり、ループ利得が出射ビーム電流値の運転条件に依存して変化する。即ち、高い出射ビーム電流値でループ利得を最適化すると、低い出射ビーム電流値に対してループ利得が低下し、応答性の悪化と制御精度の劣化を招く。逆に、低い出射ビーム電流値でループ利得を最適化すると、高い出射ビーム電流値に対してループ利得が上昇し過ぎてフィードバック系が不安定になる。そこで、本実施形態でも、その非線形性を補償する為の線形化演算器６８（信号伝達手段）を出射制御装置６００Ｂに設け、ループ利得の出射ビーム電流値に対する依存性を排除し、フィードバック系が安定で高速・高精度に動作可能な出射ビーム電流値の運転範囲を拡大した。以下、詳細に説明する。
【００４１】
第１の実施形態の場合と同様に、例えば、加速空胴２５に印加する高周波電圧の周波数変化率Ｘに対するシンクロトロン２００の出射ビーム電流値Ｙの非線形応答がＫ、ｎを定数としてＹ＝Ｋ・Ｘｎと表せる場合には、ループ利得はｄＹ／ｄＸ＝ｎＫ・Ｘｎ−１＝ｎＫ１／ｎ・Ｙ（ｎ−１）／ｎに比例し、高周波電圧の周波数変化率Ｘ、即ち出射ビーム電流値Ｙに依存して変化する。
特に、ｎ＞＞１で非線形の度合いが大きい場合にはループ利得の変化が大きく、フィードバック系を広範囲の出射ビーム電流値に対して安定に且つ高速・高精度で動作させることが困難になる。
そこで、ループ利得の非線形性を補償するため、本実施形態でも入力信号ｘに対する出力信号ｙの応答がｋを定数としてｙ＝ｋ・ｘ１／ｎと表せる出力信号ｙを出力する線形化演算器６８（信号伝達手段）を出射制御装置６００Ｂに設ける。これにより、２つの非線形応答が等価的に入力信号ｘに対する出力信号Ｙの線形応答Ｙ＝Ｋｋｎ・ｘで表されるので、ループ利得はｄＹ／ｄｘ＝Ｋｋｎに比例して、出射ビーム電流値の運転条件に依存しない一定値に維持できる。
【００４２】
本発明のシンクロトロンおよび粒子線治療システムの第２の実施形態においても、前述したシンクロトロンおよび粒子線治療システムの第１の実施形態と同様に、出射ビーム電流値のフィードバック系の信号伝達特性がループ全体として線形化されるので、出射ビーム電流値の運転条件に依存したループ利得の変化を抑制できる。即ち、様々な運転条件に対してフィードバック系のループ利得を最適値に近く維持可能である。その結果、シンクロトロンの出射ビーム電流値を広範囲にわたり安定に且つ高速・高精度で制御でき、複雑な患部形状に一致した高精細な治療照射が可能なラスター走査法などの先端照射技術に対応した粒子線治療システムを容易に実現することができる。
【００４３】
本実施形態の出射制御装置６００Ｂに関しても、その内部で実施する各種の信号処理はデジタル信号処理でもアナログ信号処理でも、どちらの手法で演算しても良い。
【００４４】
＜その他＞  
なお、本発明は上記の実施形態に限られず、種々の変形、応用が可能なものである。
【符号の説明】
【００４５】
１１…前段加速器、
２１…偏向電磁石（シンクロトロン）、
２２…収束／発散型四極電磁石（シンクロトロン）、
２３…六極電磁石、
２４…入射装置、
２５…加速空胴、
２５Ａ…高周波電力増幅器、
２６…出射装置、
２６Ａ…高周波電力増幅器、
２７…出射偏向装置、
３１…偏向電磁石（ビーム輸送系）、
３２…収束／発散型四極電磁石（ビーム輸送系）、
３３…輸送ビームモニタ、
４１…患者、
４２…患部、
５１…走査電磁石、
５２…照射ビームモニタ、
６１…高周波発振器、
６２…帯域信号発生器、
６３…乗算器、
６４…振幅変調器、
６５…電流比較器、
６６…振幅制御器、
６７…振幅加算器、
６８…線形化演算器、
６９…周波数変化率制御器、
７０…周波数変化率加算器、
７１…周波数設定部、
１００…粒子線治療システム、
２００…シンクロトロン、
３００…ビーム輸送系、
４００…治療室、
５００…照射装置、
６００…制御装置、
６００Ａ，６００Ｂ，６００Ｃ…出射制御装置。
【図１】
2014170714.tif 000003
【図２】
2014170714.tif 000004
【図３】
2014170714.tif 000005
【図４】
2014170714.tif 000006
【図５】
2014170714.tif 000007
【図６】
2014170714.tif 000008
【図７】
2014170714.tif 000009
【図８】
2014170714.tif 000010